(57)【要約】      （修正有）【課題】無線通信システムにおけるＭＴＣ装置のための、アタッチ手続を処理する方法を提供する。【解決手段】方法は、アタッチ手続を実行する工程と、ｉｎｆｏｒｍａｔｉｏｎ  ｅｌｅｍｅｎｔを含まない、上記アタッチ手続に関するアタッチ要求メッセージを送信する工程とを含む。【選択図】図３
2012085293.tif 000002
【特許請求の範囲】
【請求項１】
無線通信システムにおけるｍａｃｈｉｎｅ−ｔｙｐｅ  ｃｏｍｍｕｎｉｃａｔｉｏｎ（ＭＴＣ）装置のための、アタッチ手続を処理する方法であって、
上記アタッチ手続を実行する工程と、
ｉｎｆｏｒｍａｔｉｏｎ  ｅｌｅｍｅｎｔを含まない、上記アタッチ手続に関するアタッチ要求メッセージを送信する工程とを含む、方法。
【請求項２】
上記ｉｎｆｏｒｍａｔｉｏｎ  ｅｌｅｍｅｎｔは、移動局（ＭＳ）の複数の一時的な識別子、または、最後のロケーションに関連している、請求項１に記載の方法。
【請求項３】
Ｉｎｔｅｒｎａｔｉｏｎａｌ  Ｍｏｂｉｌｅ  Ｓｕｂｓｃｒｉｂｅｒ  Ｉｄｅｎｔｉｔｙ（ＩＭＳＩ）を上記アタッチ手続に関するアタッチ要求メッセージに含めて送信することをさらに含む、請求項１に記載の方法。
【請求項４】
上記ＭＴＣ装置がＥ−ＵＴＲＡＮ（ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ）に留まる場合、上記ｉｎｆｏｒｍａｔｉｏｎ  ｅｌｅｍｅｎｔは、上記アタッチ要求メッセージ中の、追加のＴＭＳＩ（ｔｅｍｐｏｒａｒｙ  ｍｏｂｉｌｅ  ｓｕｂｓｃｒｉｂｅｒ  ｉｄｅｎｔｉｔｙ）ステータス、古いロケーションエリア識別子、追加のＧＵＴＩ（Ｇｌｏｂａｌｌｙ  Ｕｎｉｑｕｅ  Ｔｅｍｐｏｒａｒｙ  ＵＥ  Ｉｄｅｎｔｉｔｙ）、および、最後に訪問した登録済みＴＡＩ（ｔｒａｃｋｉｎｇ  ａｒｅａ  ｉｄｅｎｔｉｔｙ）のうちの少なくとも１つである、請求項１に記載の方法。
【請求項５】
上記ＭＴＣ装置がＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）またはＧＥＲＡＮ（ＧＳＭ  ＥＤＧＥ  Ｒａｄｉｏ  Ａｃｃｅｓｓ  Ｎｅｔｗｏｒｋ）に留まる場合、上記ｉｎｆｏｒｍａｔｉｏｎ  ｅｌｅｍｅｎｔは、上記アタッチ要求メッセージ中の、ＴＭＳＩステータス、追加のモバイル識別子、および、追加された古いルーティングエリア識別子のうちの少なくとも１つである、請求項１に記載の方法。
【請求項６】
無線通信システムにおけるｍａｃｈｉｎｅ−ｔｙｐｅ  ｃｏｍｍｕｎｉｃａｔｉｏｎ（ＭＴＣ）装置のための、アタッチ手続を処理するための通信装置であって、
上記アタッチ手続を実行するための手段と、
ｉｎｆｏｒｍａｔｉｏｎ  ｅｌｅｍｅｎｔを含まない、上記アタッチ手続に関するアタッチ要求メッセージを送信するための手段とを備えた通信装置。
【請求項７】
上記ｉｎｆｏｒｍａｔｉｏｎ  ｅｌｅｍｅｎｔは、移動局（ＭＳ）の複数の一時的な識別子、または、最後のロケーションに関連している、請求項６に記載の通信装置。
【請求項８】
Ｉｎｔｅｒｎａｔｉｏｎａｌ  Ｍｏｂｉｌｅ  Ｓｕｂｓｃｒｉｂｅｒ  Ｉｄｅｎｔｉｔｙ（ＩＭＳＩ）を上記アタッチ手続に関する上記アタッチ要求メッセージに含めて送信するための手段をさらに備えている、請求項６に記載の通信装置。
【請求項９】
上記ＭＴＣ装置がＥ−ＵＴＲＡＮ（ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ）で留まる場合、上記ｉｎｆｏｒｍａｔｉｏｎ  ｅｌｅｍｅｎｔは、上記アタッチ要求メッセージ中の、追加のＴＭＳＩ（ｔｅｍｐｏｒａｒｙ  ｍｏｂｉｌｅ  ｓｕｂｓｃｒｉｂｅｒ  ｉｄｅｎｔｉｔｙ）ステータス、古いロケーションエリア識別子、追加ＧＵＴＩ（Ｇｌｏｂａｌｌｙ  Ｕｎｉｑｕｅ  Ｔｅｍｐｏｒａｒｙ  ＵＥ  Ｉｄｅｎｔｉｔｙ）、および、最後に訪問した登録済みＴＡＩ（ｔｒａｃｋｉｎｇ  ａｒｅａ  ｉｄｅｎｔｉｔｙ）のうちの少なくとも１つである、請求項６に記載の通信装置。
【請求項１０】
上記ＭＴＣ装置がＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）またはＧＥＲＡＮ（ＧＳＭ  ＥＤＧＥ  Ｒａｄｉｏ  Ａｃｃｅｓｓ  Ｎｅｔｗｏｒｋ）に留まる場合、上記ｉｎｆｏｒｍａｔｉｏｎ  ｅｌｅｍｅｎｔは、上記アタッチ要求メッセージ中の、ＴＭＳＩステータス、追加のモバイル識別子、および、追加された古いルーティングエリア識別子のうちの少なくとも１つである、請求項６に記載の通信装置。
【発明の詳細な説明】
【技術分野】
【０００１】
本願は、無線通信システムおよび関連する通信装置において使用される方法および関連する通信装置に関し、さらに具体的には、無線通信システムにおいてアタッチ手続（ａｔｔａｃｈ  ｐｒｏｃｅｄｕｒｅ）を処理する方法および関連する通信装置に関する。
【背景技術】
【０００２】
〔先行技術に関する記載〕
Ｍａｃｈｉｎｅ−ｔｙｐｅ  ｃｏｍｍｕｎｉｃａｔｉｏｎ（ＭＴＣ）は、人とのやりとりを必要としない１つ以上のエンティティを含むデータ通信の１種である。つまり、ＭＴＣとは、ユーザが使用する移動局（ＭＳ）の代わりにマシン装置が使用する、例えば、既存のＧＥＲＡＮ、ＵＭＴＳ、ＬＴＥ（Ｌｏｎｇ−Ｔｅｒｍ  Ｅｖｏｌｕｔｉｏｎ）などのネットワークに基づく通信コンセプトを指す。ＭＴＣにおいて使用されるマシン装置をＭＴＣ装置とも呼称する。ＭＴＣ装置には、自動販売機や、ダムで水位を計測する機器などのさまざまな種類がある。つまり、ＭＴＣはさまざまな分野で広く適用可能なのである。ＭＴＣ装置は、一般的なＭＳの特徴とは異なる特徴を有する。したがって、ＭＴＣに対して最適化されたサービスが、人と人との間の通信に対して最適化されたサービスとは異なることが起こり得る。現在のモバイルネットワーク通信サービスと比較すると、ＭＴＣの特徴は、異なる市場動向、データ通信、低コストおよび低労力、潜在的に多数のＭＳが通信できること、広いサービスエリア、ＭＳ１台当たりの小さなトラヒックなどにあると言うことができる。
【０００３】
一方で、ＭＴＣ装置の台数は、従来装置の台数に比べてはるかに大きくなると考えられる。また、一般的なマシンとマシンとの（ｍａｃｈｉｎｅ−ｔｏ−ｍａｃｈｉｎｅ）（Ｍ２Ｍ）サービスの特徴のために、複数のＭＴＣ装置のオペレーションを同時に実行する可能性が高い。Ｍ２Ｍ通信（「Ｍａｃｈｉｎｅ−ｔｙｐｅ  ｃｏｍｍｕｎｉｃａｔｉｏｎｓ」または「ＭＴＣ」とも称する）は、さまざまな分野で使用可能である。セキュリティの分野であれば、Ｍ２Ｍ通信は、監視システム、電話の地上線のバックアップ、（例えばビルへの）物理的なアクセスの制御、自動車／ドライバのセキュリティなどにおいて使用することができる。トラッキングおよび追跡の分野であれば、Ｍ２Ｍ通信は、業務車両の管理、注文管理、走行距離に応じた課金制（Ｐａｙ  Ａｓ  Ｙｏｕ  Ｄｒｉｖｅ）（ＰＡＹＤ）への応用、資産追跡、ナビケーション、交通情報への応用、通行料金の徴収、交通量の最適化、ステアリングなどに使用することもできる。料金支払いシステムの分野であれば、Ｍ２Ｍ通信は、ＰＯＳ（ｐｏｉｎｔ  ｏｆ  ｓａｌｅ）、自動販売機、顧客囲い込みへの適用、ゲーム機などにおいて使用することもできる。保健医療であれば、Ｍ２Ｍ通信は、生命徴候の遠隔モニターリングや老人や障害者の介護などの目的や、ウェブでアクセス可能な遠隔医療ポイントや遠隔診断において使用することもできる。遠隔メンテナンス／通信制御の分野であれば、Ｍ２Ｍ通信は、プログラム可能論理制御装置（ＰＬＣ）、センサ、照明器具、ポンプ、バルブ、エレベーターの制御、自動販売機の制御、車両点検などにおいて使用することもできる。計測の分野であれば、Ｍ２Ｍ通信は、電力、ガス、水道、暖房、グリッド制御、工業計測などに関連する応用分野において使用することもできる。また、Ｍａｃｈｉｎｅ−ｔｙｐｅ  ｃｏｍｍｕｎｉｃａｔｉｏｎ（ＭＴＣ）技術に基づくＭ２Ｍ通信は、例えば顧客サービスの分野で使用することもできる。
【０００４】
Ｍ２Ｍ通信は、例えば、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＬＴＥ（Ｌｏｎｇ−Ｔｅｒｍ  Ｅｖｏｌｕｔｉｏｎ）、ＬＴＥ−Ａｄｖａｎｃｅｄ（Ｌｏｎｇ−Ｔｅｒｍ  Ｅｖｏｌｕｔｉｏｎ  Ａｄｖａｎｃｅｄ）などの３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）技術に基づく、および／または、例えばＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、または、米国電気電子学会（ＩＥＥＥ）が開発した技術、および、３ＧＰＰ２などの他の技術に基づく、整備済みの無線ネットワークを利用してもよい。Ｍ２Ｍ通信は、これらの技術に基づくネットワークを使用して、各種ビジネスソリューションを高い対費用効果で配信してもよい。ユビキタス通信に対応して整備された無線ネットワークに関わる状況では、無線ネットワークが利用可能であることによって、Ｍ２Ｍ  ＷＴＲＵの整備および使用が加速および／または促進される可能性がある。また、これらの技術がさらに発展すれば、Ｍ２Ｍに基づくソリューションを整備するさらなる機会が創出される可能性がある。
【０００５】
サービス（例えばＥＰＳ（ｅｖｏｌｖｅｄ  ｐａｃｋｅｔ  ｓｙｓｔｅｍ）サービス）を受けるためには、ＵＥはネットワークに登録する必要がある。登録処理（例えばアタッチ手続）時に、ＵＥは、例えば、最初に「アタッチ要求」メッセージをコアネットワーク（例えばＭＭＥ）に送ればよい。この「アタッチ要求」メッセージには、携帯装置（例えばＵＥ）の内部のＳＩＭ（ｓｕｂｓｃｒｉｂｅｒ  ｉｄｅｎｔｉｔｙ  ｍｏｄｕｌｅ）カードに記憶されているＩＭＳＩ（ｉｎｔｅｒｎａｔｉｏｎａｌ  ｍｏｂｉｌｅ  ｓｕｂｓｃｒｉｂｅｒ  ｉｄｅｎｔｉｔｙ）が含まれている。ＩＭＳＩは各加入者に対して個々にアドレスを指定するので、セキュリティという観点からは、ＩＭＳＩは非常に大切な情報であると考えられ、ＩＭＳＩを送信することはできるかぎり回避しなければならないことは明らかである。ＩＭＳＩを傍受しモニターリングすることによって、この傍受者は加入者のロケーション、移動、および、活動を追跡することもあり得る。したがって、ネットワークは、例えばＳ−ＴＭＳＩ（ｓｙｓｔｅｍ  ａｒｃｈｉｔｅｃｔｕｒｅ  ｅｖｏｌｕｔｉｏｎ（ＳＡＥ）−ｔｅｍｐｏｒａｒｙ  ｍｏｂｉｌｅ  ｓｕｂｓｃｒｉｂｅｒ  ｉｄｅｎｔｉｔｙ）などの一時的なＵＥ識別子をＵＥに割り当てて、ＩＭＳＩの使用を抑制するために一時的なＵＥ識別子を頻繁に更新する。
【先行技術文献】
【非特許文献】
【０００６】
【非特許文献１】3rd Generation Partnership Project，”3GPP TS 23.401 V10.1.0; Technical Specification Group Services and System Aspects; General Packet Radio Service (GPRS) enhancements for Evolved Universal Terrestrial Radio Access Network (E-UTRAN) access (Release 10)”, 2010/09
【非特許文献２】3rd Generation Partnership Project，”3GPP TS 24.301 V10.1.0; Technical Specification Group Core Network and Terminals; Non-Access-Stratum (NAS) protocol for Evolved Packet System (EPS); Stage3 (Release 10)”, 2010/12
【非特許文献３】3rd Generation Partnership Project，”3GPP TS 24.008 V10.0.0; Technical Specification Group Core Network and Terminals; Mobile radio interface Layer 3 specification; Core network protocols; Stage3 (Release 10)”, 2010/09
【発明の概要】
【発明が解決しようとする課題】
【０００７】
３ＧＰＰ規格のセクション１のサブクローズ５．３．２．１および５．３．３．０によれば、ＭＴＣ装置は、登録済みＰＬＭＮに対応するＰＬＭＮのリストに存在しないＰＬＭＮを選択する際に、アタッチ手続を実行することになっている。このアタッチ手続において、ＭＴＣ装置は、常にＭＴＣ装置自体をＩＭＳＩを用いて特定しなければならない。つまり、ＭＴＣ装置は、常にＩＭＳＩをモバイル識別子パラメータに含めて送信する。
【０００８】
この場合、移動局（ＭＳ）はＩＭＳＩを送信しているので、ネットワークはＩＭＳＩを使用して動作し、一時的な識別子は無視するので、アタッチ要求メッセージ中の、ＭＳの一時的な識別子に関連するＩｎｆｏｒｍａｔｉｏｎ  Ｅｌｅｍｅｎｔは不必要である。このＩｎｆｏｒｍａｔｉｏｎ  Ｅｌｅｍｅｎｔは冗長である。
【課題を解決するための手段】
【０００９】
無線通信システムにおけるｍａｃｈｉｎｅ−ｔｙｐｅ  ｃｏｍｍｕｎｉｃａｔｉｏｎ（ＭＴＣ）装置のための、アタッチ手続を処理する方法を提供する。
【００１０】
無線通信システムにおけるＭＴＣ装置のための、アタッチ手続を処理する方法を開示する。本方法は、上記アタッチ手続を実行する工程と、ｉｎｆｏｒｍａｔｉｏｎ  ｅｌｅｍｅｎｔを含まない、上記アタッチ手続に関するアタッチ要求メッセージを送信する工程とを含む。
【００１１】
無線通信システムにおけるＭＴＣ装置のための、アタッチ手続を処理するための通信装置を開示する。本通信装置は、上記アタッチ手続を実行するための手段と、ｉｎｆｏｒｍａｔｉｏｎ  ｅｌｅｍｅｎｔを含まない、上記アタッチ手続に関するアタッチ要求メッセージを送信するための手段とを備えている。
【００１２】
本発明のこれらの目的およびその他の目的は、図面に示す好適な実施形態についての以下の詳細な説明を読めば、当業者にとって明らかになるであろう。
【図面の簡単な説明】
【００１３】
【図１】典型的なＭＴＣ（Ｍａｃｈｉｎｅ−Ｔｙｐｅ  Ｃｏｍｍｕｎｉｃａｔｉｏｎ）アーキテクチャを示す図である。
【図２】典型的な通信装置の概略図である。
【図３】典型的なプロセスのフローチャートである。
【発明を実施するための形態】
【００１４】
〔関連出願の相互参照〕
本願は、２０１０年１０月７日出願の、“Method to handle attach procedure for the MTC devices”を名称とする、米国特許仮出願第６１／３９０，６２０号明細書の利益を主張するものであり、該特許仮出願の内容は全てここに引用されるものとする。
【００１５】
〔詳細な説明〕
図１は、無線通信システム１０の、典型的なＭＴＣ（Ｍａｃｈｉｎｅ−Ｔｙｐｅ  Ｃｏｍｍｕｎｉｃａｔｉｏｎ）アーキテクチャを示している。無線通信システム１０は、複数のＭＴＣ装置１００、ネットワーク１１０、複数の移動局（ＭＳ）１２０、ＭＴＣサーバ１３０、および、ＭＴＣユーザ１４０を含む。上記複数のＭＴＣ装置１００および複数のＭＳ１２０は、ネットワーク１１０に接続されている。ＭＴＣサーバー１３０は、ネットワーク１１０を介してＭＴＣ装置１００の情報を受信し、この情報をＭＴＣユーザ１４０に提供する。ＭＴＣサーバー１３０は、ネットワーク１１０の外側、または、ネットワーク１１０の内側に配置され、ネットワークオペレータによって管理される。
【００１６】
ネットワーク１１０は、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＧＥＲＡＮ（ＧＳＭ  ＥＤＧＥ  Ｒａｄｉｏ  Ａｃｃｅｓｓ  Ｎｅｔｗｏｒｋ）、ＬＴＥ（Ｌｏｎｇ−Ｔｅｒｍ  Ｅｖｏｌｕｔｉｏｎ）、ＬＴＥ−Ａｄｖａｎｃｅｄ（Ｌｏｎｇ−Ｔｅｒｍ  Ｅｖｏｌｕｔｉｏｎ  Ａｄｖａｎｃｅｄ）、および／または、例えばＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、または、米国電気電子学会（ＩＥＥＥ）が開発した、他の技術を指していてもよい。ＭＴＣ装置３２０は、無線通信システムにおけるＵＥ（ｕｓｅｒ  ｅｑｕｉｐｍｅｎｔ）と呼ばれることもあり、携帯電話やコンピュータシステムなどを含む。
【００１７】
図２は、典型的な通信装置２０の概略図である。上記通信装置２０は、図１に示すＭＴＣ装置１００、ネットワーク１１０、ＭＳ１２０、または、ＭＴＣサーバー１３０であってもよく、例えば、処理手段（例えばマイクロプロセッサまたは特定用途向け集積回路（ＡＳＩＣ））２００、メモリユニット２１０、および、通信インターフェースユニット２２０を備えていればよい。メモリユニット２１０は、処理手段２００がアクセスするプログラムコード２１４を記憶することができる、任意のデータ記憶装置であればよい。メモリユニット４１０の例としては、ＳＩＭ（ｓｕｂｓｃｒｉｂｅｒ  ｉｄｅｎｔｉｔｙ  ｍｏｄｕｌｅ）、読み出し専用メモリ（ＲＯＭ）、ランダムアクセスメモリ（ＲＡＭ）、ＣＤ−ＲＯＭ、磁気テープ、フロッピー（登録商標）ディスク、および、光学式データ記憶装置などがあげられるが、これらの例に限定されるものではない。通信インターフェースユニット２２０は、処理手段２００の処理結果に合わせて、例えば、無線送受信機またはワイヤリンク／論理リンクであればよく、ネットワーク１１０と通信を行う。
【００１８】
図３は典型的なプロセス３０のフローチャートである。このプロセス３０を使用して、ＭＴＣ装置のためのアタッチ手続を処理する。好ましくは、ＭＴＣ装置は、無線通信システム１０における上記複数のＭＴＣ装置１００のうちの１つであればよい。プロセス３０はプログラムコード２１４にコンパイルされることが可能であり、以下のステップを含んでいる。すなわち、
・ステップ３００：開始。
・ステップ３０２：ｐｕｂｌｉｃ  ｌａｎｄ  ｍｏｂｉｌｅ  ｎｅｔｗｏｒｋ（ＰＬＭＮ）Ｘを選択する。ただし、このＰＬＭＮ  Ｘは、登録済みＰＬＭＮに対応するＰＬＭＮのリストには存在しない。
・ステップ３０４：アタッチ手続を実行する。
・ステップ３０６：Ｉｎｔｅｒｎａｔｉｏｎａｌ  Ｍｏｂｉｌｅ  Sｕｂｓｃｒｉｂｅｒ  Ｉｄｅｎｔｉｔｙ（ＩＭＳＩ）を上記アタッチ手続に関するアタッチ要求メッセージに含めて送信する。
・ステップ３０８：ｉｎｆｏｒｍａｔｉｏｎ  ｅｌｅｍｅｎｔをアタッチ要求メッセージに含めて送信しない。
・ステップ３１０：終了。
【００１９】
プロセス３０によれば、上記ＭＴＣ装置は、登録済みＰＬＭＮ以外のＰＬＭＮ  Ｘ、または、登録済みＰＬＭＮに対応するＰＬＭＮ以外のＰＬＭＮ  Ｘを選択する。上記ＭＴＣ装置は、例えば、Ｓ１モード、および、ＩｕモードかＧｂモードかのいずれかまたは両方をサポートしている。この状況において、ＭＴＣは、ＲＡＵ／ＴＡＵ（ルーティング領域／トラッキング領域）処理の代わりに、上記アタッチ手続を実行する。そして、ＭＴＣ装置は、ＩＭＳＩをアタッチ要求メッセージに含めて送信する。ＭＴＣ装置は自装置をＩＭＳＩを用いて特定するので、ＭＴＣ装置は、ｉｎｆｏｒｍａｔｉｏｎ  ｅｌｅｍｅｎｔをアタッチ要求メッセージに含めて送信することはしない。ｉｎｆｏｒｍａｔｉｏｎ  ｅｌｅｍｅｎｔは、移動局（ＭＳ）の一時的な識別子に関連する、および／または、最後のロケーションに関連する情報である。その結果、ＭＴＣ装置が登録済みＰＬＭＮ以外のＰＬＭＮ  Ｘ、または、これに対応するＰＬＭＮ以外のＰＬＭＮ  Ｘを選択する際に、ＭＴＣ装置は、ｉｎｆｏｒｍａｔｉｏｎ  ｅｌｅｍｅｎｔをアタッチ要求メッセージに含めて送信しない。こうすることによって、不必要で冗長な追加パラメータが削減できる。
【００２０】
一部の例では、ＭＴＣ装置がネットワーク（例えばＥ−ＵＴＲＡＮまたはＵＴＲＡＮ／ＧＥＲＡＮ）１１０で留まってもよい。ＭＴＣ装置がＥ−ＵＴＲＡＮで留まる（camp on）場合、ＭＴＣ装置は、例えば追加のＴＭＳＩ（ｔｅｍｐｏｒａｒｙ  ｍｏｂｉｌｅ  ｓｕｂｓｃｒｉｂｅｒ  ｉｄｅｎｔｉｔｙ）ステータス、古いロケーションエリア識別子（ｉｄｅｎｔｉｆｉｃａｔｉｏｎ）、追加のＧＵＴＩ（Ｇｌｏｂａｌｌｙ  Ｕｎｉｑｕｅ  Ｔｅｍｐｏｒａｒｙ  ＵＥ  Ｉｄｅｎｔｉｔｙ）、および、最後に訪問した登録済みＴＡＩ（ｔｒａｃｋｉｎｇ  ａｒｅａ  ｉｄｅｎｔｉｔｙ）のうちの少なくとも１つなどの、ｉｎｆｏｒｍａｔｉｏｎ  ｅｌｅｍｅｎｔを送信できなくなる。ＭＴＣ装置がＵＴＲＡＮ／ＧＥＲＡＮで留まる場合、ＭＴＣ装置は、例えばＴＭＳＩステータス、追加のモバイル識別子、および、追加された古いルーティングエリア識別子のうちの少なくとも１つなどのｉｎｆｏｒｍａｔｉｏｎ  ｅｌｅｍｅｎｔを送信できなくなる。
【００２１】
提案したステップを含めた上述のプロセスの各ステップは、例えばハードウェア、ハードウェア装置とコンピュータ命令とハードウェア装置に読み取り専用ソフトウェアとして常駐するデータとのの組み合わせとして知られるファームウェア、または、電子システムなどの手段によって実現可能である。ハードウェアの例としては、マイクロ回路、マイクロチップ、または、シリコンチップとして知られている、アナログ回路、デジタル回路、混合回路などがあげられる。電子システムの例としては、システム・オン・チップ（ＳＯＣ）、システム・イン・パッケージ（ＳiＰ）、コンピュータ・オン・モジュール（ＣＯＭ）、および通信装置２０などがあげられる。なお、通信装置２０においては、処理手段２００が上述の各プロセスに関連するプログラムコード２１４を処理し、処理された結果が無線通信システム１０におけるＭＴＣ装置ためのアタッチ手続を処理することができる。
【００２２】
まとめると、ＭＴＣ装置は、登録済みＰＬＭＮ以外のＰＬＭＮ、または、登録済みＰＬＭＮに対応するＰＬＭＮ以外のＰＬＭＮを選択する際に、アタッチ手続を実行することになっている。ＭＴＣ装置は、自装置をアタッチ手続に関するアタッチ要求メッセージ中のＩＭＳＩを用いて特定する。したがって、アタッチ要求メッセージにおいて、ＭＴＣ装置は、ＭＳの一時的な識別子に関連するｉｎｆｏｒｍａｔｉｏｎ  ｅｌｅｍｅｎｔ、および／または、最後のロケーションに関連する情報を送信することを禁止される。その結果、冗長な追加のパラメータを抑制することが可能になる。
【００２３】
当業者であれば、本発明の教唆を保持しながら、装置および方法に多数の調整および変更を加えてもかまわないことが容易に理解できるであろう。したがって、上記の開示は、添付の請求項の範囲によってのみ限定されると解釈されるべきである。
【図１】
2012085293.tif 000003
【図２】
2012085293.tif 000004
【図３】
2012085293.tif 000005